(57)【特許請求の範囲】
【請求項１】
多層階建築における当該階の天井と上階床スラブとの間で形成される天井裏スペースに空気調和機を配置し、深夜電力時間帯に天井裏スペースを空気調和して多層階建築の躯体に蓄熱するようにした躯体蓄熱空調システムであって、
前記空気調和機は、本体ケーシングの下面に前記当該階の室内を臨む空気吸込口および空気吹出口が形成され、前記本体ケーシング内に前記空気吸込口と前記空気吹出口とを連通する主通風路が形成され、前記主通風路内に冷媒回路の一部を構成する室内側熱交換器と送風ファンとが配備されたカセット型空気調和機で構成されており、
前記送風ファンよりも上流側となる吸込側主通風路には天井裏スペースと連通する吸込側副通風路が分岐接続され、前記送風ファンよりも下流側となる吹出側主通風路には前記天井裏スペースと連通する吹出側副通風路が分岐接続され、前記吸込側副通風路の分岐接続位置に少なくとも前記吸込側副通風路を開閉する吸込側切換ダンパが配備され、前記吹出側副通風路の分岐接続位置に前記吹出側主通風路と前記吹出側副通風路のいずれかに通風経路を切換える吹出側切換ダンパが配備されるとともに、蓄熱運転時には、前記吸込側切換ダンパおよび前記吹出側切換ダンパの切替えにより前記吸込側副通風路および前記吹出側副通風路の双方を前記天井裏スペースと連通させた状態で、前記カセット型空気調和機を運転するようにしたことを特徴とする躯体蓄熱空調システム。
【請求項２】
吸込側副通風路を形成する吸込側副ケーシングと、吹出側副通風路を形成する吹出側副ケーシングとをそれぞれ本体ケーシングとは別個独立に構成し、吸込側切換ダンパを切換駆動する吸込側ダンパモータと吹出側切換ダンパを切換駆動する吹出側ダンパモータとを前記吸込側副ケーシングと前記吹出側副ケーシングのそれぞれの一側に纏めて配備したことを特徴とする請求項第１項に記載の躯体蓄熱空調システム。
【請求項３】
室外空気を取り入れる外気用通風路が吸込側副通風路に分岐接続されているとともに、吸込側切換ダンパは、前記吸込側副通風路と前記外気用通風路のいずれかに通風経路を切換えるように配備されていることを特徴とする請求項第１項または請求項第２項に記載の躯体蓄熱空調システム。
【請求項４】
吹出側切換ダンパは、吹出側主通風路と吹出側副通風路との間を揺動して前記吹出側主通風路または前記吹出側副通風路のいずれかを閉止する蓋板部と、前記蓋板部に対し屈曲して側面視略への字状に一体に形成され前記蓋板部が前記吹出側主通風路を閉止したとき室内側熱交換器からの空気を前記吹出側副通風路に案内するガイド板部とから構成されていることを特徴とする請求項第１項乃至請求項第３項のいずれかに記載の躯体蓄熱空調システム。
【発明の詳細な説明】
【０００１】
【発明の属する技術分野】
本発明は、多層階建築における当該階の天井と上階床スラブとの間で形成される天井裏スペースに空気調和機を配置し、深夜電力時間帯に天井裏スペースを空気調和して多層階建築の躯体に蓄熱するようにした躯体蓄熱空調システムに係り、更に詳しくはいわゆるカセット型空気調和機を用いた躯体蓄熱空調システムに関する。
【０００２】
【従来の技術】
従来、この種の躯体蓄熱空調システムとしては、例えば特公昭５０−２０３８２号公報に開示されたものが知られている。
前記開示の躯体蓄熱空調システムに準じた従来システムを図１２に示す。
図に示した躯体蓄熱空調システム１ａでは、多層階建築５０における当該階５１の天井５１Ｃと上階床スラブ５２Ａとの間で形成される天井裏スペース５３に、天井内埋込型の空気調和機５４が配置されている。
空気調和機５４の吹出側には、天井５１Ｃに設けられた空気吹出口５７に連通する空気ダクト５６と通風路切換器５５が接続されている。通風路切換器５５は空気調和機５４から吹き出された空調空気の通風路を当該階５１の室内または天井裏スペース５３に切換えるものである。そして、天井５１Ｃには空気吸込口５８が設けられている。
【０００３】
この躯体蓄熱空調システム１ａでは、通常の空調運転（例えば、昼間の冷房運転）時において、当該階５１の室内空気は空気吸込口５８から天井裏スペース５３内に流入して空気調和機５４の吸込側で吸入され、図外の室外機で凝縮・減圧され空気調和機５４に導かれた冷媒により冷却されたのち、空気ダクト５６および空気吹出口５７から当該階５１に戻されて室内を冷房する。
一方、夜２２時から翌朝８時までの深夜電力時間帯には、通風路切換器５５の通風路が切り換えられることにより、天井裏スペース５３の空気が吸い込まれて冷却されたのち天井裏スペース５３に戻されて、多層階建築５０の躯体（主に、上階床スラブ５２Ａ）に冷熱を蓄熱するようになっている。
【０００４】
このような躯体蓄熱空調システム１ａは、安価な深夜電力を利用できるとともに昼夜電力使用量の平準化につながるものとして知られている。また、温湯蓄熱ユニットや氷蓄熱ユニットが不要であることから、イニシャルコストおよびランニングコストの安価なシステムとして注目されている。
また、上階５２の利用者に最も近い位置の躯体に蓄熱するので、放熱ロスを極力少なくすることができる。例えば、冬場において温熱を上階床スラブ５２Ａへ蓄熱した場合はあたかも床暖房となるので、上階５２の利用者は足元の上階床スラブ５２Ａからの放熱により昼間の空調が要らないくらい快適に過ごせる場合がある。
【０００５】
【発明が解決しようとする課題】
ところが、天井内埋込型の空気調和機５４を用いた従来の躯体蓄熱空調システム１ａであれば、天井５１Ｂに空気吹出口５７や空気吸込口５８を設けなければならず、空気吹出口５７と空気調和機５４の吹出側とを連結する空気ダクト５６およびその設置工事も必要とする。
【０００６】
また、空気調和機５４の通風路切換器５５から吹き出された冷暖空気は天井裏スペース５３内のみならず、空気吸込口５８を通って当該階５１の室内へ流入する。従って、深夜で人のいない室内をも無駄に冷暖房してしまいエネルギーロスが大きくなるという不都合があった。
【０００７】
また、外気を導入するための外気用通風路を空気調和機の吸込側に有している構造のものがあるが、蓄熱運転時に外気用通風路が閉止されず、夜間の外気が天井裏スペースへ導入されて天井裏スペースに結露を生じることがある。
【０００８】
本発明は、上記した従来の問題点に鑑みてなされたものであって、簡素で安価な構成ですみ、取付工事その他の作業性がよく、蓄熱効率も良好な躯体蓄熱空調システムの提供を目的とする。
【０００９】
【課題を解決するための手段】
上記目的を達成するために、本発明に係る躯体蓄熱空調システムは、多層階建築における当該階の天井と上階床スラブとの間で形成される天井裏スペースに空気調和機を配置し、深夜電力時間帯に天井裏スペースを空気調和して多層階建築の躯体に蓄熱するようにした躯体蓄熱空調システムであって、空気調和機は、本体ケーシングの下面に当該階の室内を臨む空気吸込口および空気吹出口が形成され、本体ケーシング内に空気吸込口と空気吹出口とを連通する主通風路が形成され、主通風路内に冷媒回路の一部を構成する室内側熱交換器と送風ファンとが配備されたカセット型空気調和機で構成されており、送風ファンよりも上流側となる吸込側主通風路には天井裏スペースと連通する吸込側副通風路が分岐接続され、送風ファンよりも下流側となる吹出側主通風路には天井裏スペースと連通する吹出側副通風路が分岐接続され、吸込側副通風路の分岐接続位置に少なくとも吸込側副通風路を開閉する吸込側切換ダンパが配備され、吹出側副通風路の分岐接続位置に吹出側主通風路と吹出側副通風路のいずれかに通風経路を切換える吹出側切換ダンパが配備されるとともに、蓄熱運転時には、吸込側切換ダンパおよび吹出側切換ダンパの切替えにより吸込側副通風路および吹出側副通風路の双方を天井裏スペースと連通させた状態で、カセット型空気調和機を運転するようにしたものである。
【００１０】
また、上記の構成において、吸込側副通風路を形成する吸込側副ケーシングと、吹出側副通風路を形成する吹出側副ケーシングとをそれぞれ本体ケーシングとは別個独立に構成し、吸込側切換ダンパを切換駆動する吸込側ダンパモータと吹出側切換ダンパを切換駆動する吹出側ダンパモータとを吸込側副ケーシングと吹出側副ケーシングのそれぞれの一側に纏めて配備したものである。
【００１１】
そして、上記の各構成において、室外空気を取り入れる外気用通風路が吸込側副通風路に分岐接続されているとともに、吸込側切換ダンパは、吸込側副通風路と外気用通風路のいずれかに通風経路を切換えるように配備されているものである。
【００１２】
更に、上記の各構成において、吹出側切換ダンパは、吹出側主通風路と吹出側副通風路との間を揺動して吹出側主通風路または吹出側副通風路のいずれかを閉止する蓋板部と、蓋板部に対し屈曲して側面視略への字状に一体に形成され蓋板部が吹出側主通風路を閉止したとき室内側熱交換器からの空気を吹出側副通風路に案内するガイド板部とから構成されているものである。
【００１３】
【発明の実施の形態】
以下、本発明の実施の形態を図面に基づいて説明する。
発明の実施の形態１．
図１は本発明の一実施形態に係る躯体蓄熱空調システムの全体を示す概略構成図、図２は躯体蓄熱空調システムを斜め下方から見た外観図、図３は躯体蓄熱空調システムの一部断面を含む下面図、図４は躯体蓄熱空調システムの内部を正面から見た説明図である。但し、図１２に示した多層階建築５０および従来の躯体蓄熱空調システム１ａと同じ構成要素には同じ符号を付して詳述は省略する。
この実施の形態１による躯体蓄熱空調システム１は、図１に示すように、多層階建築５０における当該階５１の天井５１Ｂと上階床スラブ５２Ａとの間で形成される天井裏スペース５３に、特に、カセット型空気調和機２を有している。このカセット型空気調和機２は天井５１Ｂに設けられたパネル取付穴４に挿通され固定されている。
【００１４】
前記のカセット型空気調和機２は、図２〜図４に示すように、本体ケーシング７の下面に装着された化粧パネル３に空気吸込口８および空気吹出口９が形成されている。また、カセット型空気調和機２の本体ケーシング７内には、空気吸込口８と空気吹出口９とを連通する主通風路１０が形成されており、主通風路１０内には、冷媒回路の一部を構成する室内側熱交換器１３，１３と、ファンケーシング１１内に収容された送風ファン１２が配備されている。
このカセット型空気調和機２において、送風ファン１２よりも上流側となる主通風路１０の吸込側主通風路１４には、天井裏スペース５３と連通する吸込側副通風路１６が分岐接続されている。この吸込側主通風路１４の空気吸込口８近傍には、フィルタ２９が介装されている。また、送風ファン１２よりも下流側となる主通風路１０の吹出側主通風路１５には、天井裏スペース５３と連通する吹出側副通風路１８が分岐接続されている。
【００１５】
そして、吸込側副通風路１６の分岐接続位置には、吸込側副通風路１６を開閉する吸込側切換ダンパ２３が配備されている。尚、吸込側主通風路１４は吸込側切換ダンパ２３によっては閉止されず常時開放のままであるが、カセット型空気調和機２の吹出側が正圧になり吸込側は負圧になるため、天井裏スペース５３内での圧力バランスがとれて空調空気がうまく循環する。従って、室内空気を空気吸込口８および吸込側主通風路１４から吸い込むことはない。
また、吹出側副通風路１８の分岐接続位置には、通風経路を吹出側主通風路１５と吹出側副通風路１８のいずれかに切換える吹出側切換ダンパ２８が配備されている。
【００１６】
引続き、躯体蓄熱空調システム１の動作を説明する。
まず、昼間に行われる通常の空気調和運転、例えば冷房運転にあたり、図４〜図７に示すように、吸込側切換ダンパ２３および吹出側切換ダンパ２８が切り換えられて天井内吸込口２４および分岐吹出口２０が閉止され、吸込側副通風路１６および吹出側副通風路１８の双方が閉止される。これにより、主通風路１０、吸込側主通風路１４、吹出側主通風路１５が空気吸込口８および空気吹出口９を通して室内空気と連通する。
そこで、図示せぬ室外機において外気との熱交換で凝縮したのち絞り装置により減圧された低温低圧の冷媒が、カセット型空気調和機２の室内側熱交換器１３に流入して室内空気を冷却し自身は蒸発し室外機に戻される。
また、暖房運転では室外機の四方切換弁により冷媒回路の冷媒流れ方向が冷房運転の時とは反対回りに切り換えられることにより、高温高圧の冷媒が室内側熱交換器１３に流入して室内空気を暖房し自身は凝縮し室外機に戻されるようになっている。
【００１７】
一方、深夜電力時間帯の蓄熱運転時には、図５、図６、図８、図１１に示すように、吸込側切換ダンパ２３（図５、図６の２点鎖線）および吹出側切換ダンパ２８が切替えられて天井内吸込口２４および分岐吹出口２０が開放され、吸込側副通風路１６および吹出側副通風路１８の双方が天井裏スペース５３と連通した状態にされる。この状態でカセット型空気調和機２が冷房運転または暖房運転される。これにより、上階床スラブ５２Ａその他の躯体に冷熱または温熱が蓄熱されるようになっている。
【００１８】
このカセット型空気調和機２では、本体ケーシング７の下面に装着される化粧パネル３にもともと空気吸込口８および空気吹出口９が設けられているので、従来技術のような天井の空気吹出口や吸込口を設ける必要がなく、天井の空気吹出口と空気調和機とを連通する空気ダクトおよびその設置工事も不要となる。また、カセット型空気調和機２から吹き出した冷暖空気は比較的狭い天井裏スペース５３内を循環し当該階５１の室内へは流入しないので、効率よく上階床スラブ５２Ａその他の躯体に蓄熱することができ、無人の室内を無駄に冷暖房したりしない。加えて、ファン動力も低減化される。
【００１９】
発明の実施の形態２．
この実施の形態２は実施の形態１とほぼ同じ構成であるが、図１〜図３に示すように、特に、吸込側副通風路１６および外気用通風路４０を形成する吸込側副ケーシング５と、吹出側副通風路１８を形成する左右の吹出側副ケーシング６，６とが、それぞれ本体ケーシング７と別個独立に構成されている。
吸込側副ケーシング５は、本体ケーシング７の正面側側面に設けられた分岐吸込口３１を被って本体ケーシング７に取り付けられる。尚、分岐吸込口３１は外気吸込用の開口としてもともと設けられていたものが転用されている。
各吹出側副ケーシング６，６は、本体ケーシング７の左右側面にそれぞれ設けられた分岐吹出口２０，２０を被って本体ケーシング７に取り付けられる。
また、吸込側切換ダンパ２３を切換駆動する吸込側ダンパモータ３５と、吹出側切換ダンパ２８を切換駆動する吹出側ダンパモータ３８，３８とが、吸込側副ケーシング５と吹出側副ケーシング６，６のそれぞれの正面側に纏めて配備されている。
【００２０】
従って、この実施の形態によれば、吸込側副ケーシング５および吹出側副ケーシング６，６を既存の本体ケーシング７に後付けするだけで、既設のカセット型空気調和機２を躯体蓄熱式に転用することができる。また、吸込側ダンパモータ３５と吹出側ダンパモータ３８，３８は吸込側副ケーシング５と吹出側副ケーシング６，６のそれぞれの一側（正面側）に纏めて配備されているので、天井５１Ｂや天井内に設けられる点検口が１ヶ所ですみ、点検作業も楽になる。
【００２１】
発明の実施の形態３．
この実施の形態３は実施の形態１，２とほぼ同じ構成であるが、図２，図３，図５〜図８に示すように、室外空気を取り入れる外気用通風路４０が吸込側副通風路１６に分岐接続されている。そして、吸込側切換ダンパ２３が通風経路を吸込側副通風路１６と外気用通風路４０のいずれかに切換えるように配備されている。
すなわち、吸込側副ケーシング５内は吸込側副通風路１６と外気用通風路４０とにより半分づつ占められている。吸込側副通風路１６の吸込側副ケーシング５前面には天井内吸込口２４が設けられており、外気用通風路４０の吸込側副ケーシング５前面には外気吸込口２５が設けられている。外気吸込口２５には、室外と直に連通したり、或いは外気を室内の空調条件に近づけたのち送気する一次処理装置（図示せず）と連通する外気用ダクト３９が接続される。
【００２２】
吸込側切換ダンパ２３は、吸込側副ケーシング５内の上下に枢支された回転軸３２と、この回転軸３２に固定された蓋板部２１および蓋板部２２とからなっている。蓋板部２２は蓋板部２１に対し水平方向ほぼ直角の角度で一体に構成されている。蓋板部２１は回転軸３２廻りに揺動して天井内吸込口２４を開閉し、蓋板部２２は回転軸３２廻りに揺動して外気吸込口２５を開閉するようになっている。
この吸込側切換ダンパ２３は、一端が吸込側副ケーシング５の内壁に固定され他端が吸込側ダンパモータ３５に巻き取られるワイヤ３３により回転軸３２が回転して揺動駆動される。この場合、吸込側ダンパモータ３５が停止すると、途中に介装されたコイルバネ３４の収縮力によりワイヤ３３が引き戻されて元の位置（蓋板部２１が天井内吸込口２４を塞ぐ位置）に復帰する、いわゆるスプリングリターン方式が採用されている。
【００２３】
この実施の形態によれば、ひとつの吸込側切換ダンパ２３により複数の通風路を開閉するようになっているので、ダンパユニットの構造が簡素ですむ。また、蓄熱運転時には外気用通風路４０を確実に閉止して、夜間における天井裏スペース５３内の躯体、特に上階床スラブ５２Ａの結露を防止することができる。
【００２４】
発明の実施の形態４．
この実施の形態４は実施の形態１〜３とほぼ同じ構成であるが、図４，図７〜図１１に示すように、吹出側副ケーシング６内が吹出側副通風路１８となっている。吹出側副ケーシング６上面には、天井裏スペース５３と連通する天井内吹出口１９が設けられている。特に、吹出側切換ダンパ２８は、吹出側副ケーシング６内の前後に枢支された回転軸１７に固定されたガイド板部２７と、ガイド板部２７に対し水平軸心廻りにほぼ１２０度の角度で正面視ほぼへの字状に一体形成された蓋板部２６とを備えている。蓋板部２６は回転軸１７廻りに揺動して分岐吹出口２０を開閉する。
蓋板部２６は、吹出側主通風路１５と吹出側副通風路１８との間を揺動して蓄熱運転時には吹出側主通風路１５を閉止し、室内空調運転時には吹出側副通風路１８を閉止する。また、蓋板部２６が吹出側主通風路１５を閉止したとき、ガイド板部２７は室内側熱交換器１３を通過して吹出側主通風路１５に吹き出された空調空気を吹出側副通風路１８内へ案内できるようになっている。
【００２５】
また、吹出側副通風路１８内に、回転軸１７近傍から天井内吹出口１９近傍に架け渡され分岐吹出口２０からの空気を天井内吹出口１９に案内するガイドケーシング３０が設けられている。
吹出側切換ダンパ２８は、一端が吹出側副ケーシング６の内壁に固定され他端が吹出側ダンパモータ３８に巻き取られるワイヤ３６により回転軸１７が回転して揺動駆動される。ここでも、吹出側ダンパモータ３８が停止すると、途中に介装されたコイルバネ３７の収縮力によりワイヤ３６の引き戻されて元の位置（蓋板部２６が分岐吹出口２０を塞ぐ位置）に復帰するスプリングリターン方式が採用されている。
【００２６】
従って、この実施の形態によれば、ひとつの蓋板部２６により複数の通風路を開閉するようになっているので、ダンパユニットをコンパクトに構成することができる。また、蓄熱運転時にガイド板部２７は室内側熱交換器１３からの空調空気を吹出側副通風路１８から天井裏スペース５３へ円滑に案内して吹き出させることができる。
【００２７】
尚、この躯体蓄熱空調システム１の利用態様としては、既に例示した各形態に限らず、例えば夜２２時〜翌朝８時まで以外の時間帯で運転したり、あるいは予め決められた開始時刻から所定時間（例えば、３時間）運転するといったような、時間制御を実施することもできる。
あるいは、深夜電力利用契約を電力会社との間で取り交わすとともに、封印できる外部タイマを設けておき、この外部タイマの計時時刻によりダンパ切換えの制御を行うようにして、深夜電力時間帯は室内空調運転を行えないようにする。すなわち、深夜電力時間帯は利用者が勝手に操作できないようにすることもできる。
ところで、残業などで蓄熱予定時刻になっても室内空調運転を続けたいときがある。そのような場合に室内空調運転を続けられるようにしておくと、翌昼の空調運転において上階５２の利用者が余分な空調負担を被り不平等となる。そこで、少なくとも、室内空調超過分に相当する課金を当該階５１の利用者に課し、これを上階５２の利用者の負担分に充当するようにしてもよい。
【００２８】
【発明の効果】
以上説明したように、本発明に係る躯体蓄熱空調システムによれば、昼夜電力使用量の平準化につながる蓄熱運転を行うにあたり、空気吸込側と空気吹出側の双方を天井裏スペースと連通させた状態でカセット型空気調和機を運転させて躯体に蓄熱するようにしたので、従来技術のような吹出口や吸込口を天井に設ける必要がなく、天井吹出口と空気調和機とを連結する空気ダクトおよびその設置工事も不要となる。また、カセット型空気調和機は、従来利用されてきた天井内埋込型の空気調和機と比べ、天井内での高さ寸法が小さく、低騒音である。また、カセット型空気調和機から吹き出した冷暖空気は比較的狭い天井裏スペース内を循環し当該階の室内へは流入しないので、効率よく上階床スラブその他の躯体に蓄熱することができ、無人の室内を無駄に冷暖房したりせずエネルギーロスを低減化できる。無論、当該システム特有の、安価な深夜電力を利用できること、温湯蓄熱ユニットや氷蓄熱ユニットが不要であり簡素で安価な構成ですむこと、放熱ロスが少なく快適な空調運転を行えることなどの効果を奏するのはいうまでもない。
【００２９】
また、吸込側副ケーシングおよび吹出側副ケーシングが本体ケーシングとは別個独立に構成されているので、吸込側副ケーシングおよび吹出側副ケーシングを既存の本体ケーシングに後付けするだけで、既設のカセット型空気調和機を躯体蓄熱式に転用することができる。また、吸込側ダンパモータと吹出側ダンパモータは吸込側副ケーシングと吹出側副ケーシングのそれぞれの一側に纏めて配備されているので、天井や天井内に設けられる点検口が１ヶ所ですみ、点検作業も楽になる。
【００３０】
そして、吸込側副通風路に分岐接続されている外気用通風路と、吸込側副通風路のいずれかに、ひとつの吸込側切換ダンパによって通風経路が切換えられるようになっているので、ダンパユニットの構造が簡素ですむ。また、蓄熱運転時には吸込側切換ダンパにより外気用通風路が確実に閉止されるので、夜間における天井裏スペースの結露を防止することができる。
【００３１】
更に、吹出側切換ダンパが蓋板部とガイド板部とで一体に形成されているので、ダンパユニットをコンパクトに構成することができる。加えて、ガイド板部は蓄熱運転時に室内側熱交換器を通過した空調空気を吹出側副通風路から天井裏スペースへ円滑に案内できる。
【図面の簡単な説明】
【図１】  本発明の一実施形態に係る躯体蓄熱空調システムの全体を示す概略構成図である。
【図２】  躯体蓄熱空調システムを斜め下方から見た外観図である。
【図３】  躯体蓄熱空調システムの一部断面を含む下面図である。
【図４】  躯体蓄熱空調システムの内部を正面から見た説明図である。
【図５】  吸込側副ケーシングの内部を斜めに見た説明図である。
【図６】  吸込側副ケーシングの内部を下方から見た説明図である。
【図７】  躯体蓄熱空調システムの一部断面を含む正面図である。
【図８】  躯体蓄熱空調システムの一部断面を含む正面図である。
【図９】  吹出側副ケーシングの内部を斜めに見た説明図である。
【図１０】  吹出側副ケーシングの内部を上方から見た説明図である。
【図１１】  躯体蓄熱空調システムの内部を正面から見た説明図である。
【図１２】  従来の躯体蓄熱空調システム全体を示す概略構成図である。
【符号の説明】
１  躯体蓄熱空調システム、２  カセット型空気調和機、５  吸込側副ケーシング、６  吹出側副ケーシング、７  本体ケーシング、８  空気吸込口、９  空気吹出口、１０  主通風路、１２  送風ファン、１３  室内側熱交換器、１４  吸込側主通風路、１５  吹出側主通風路、１６  吸込側副通風路、１８  吹出側副通風路、２３  吸込側切換ダンパ、２６  蓋板部、２７  ガイド板部、２８  吹出側切換ダンパ、３５  吸込側ダンパモータ、３８  吹出側ダンパモータ、４０  外気用通風路、５０  多層階建築、５１  当該階、５１Ｂ  天井、５２Ａ  上階床スラブ、５３  天井裏スペース。
【図１】
0003758330.tif 000002
【図２】
0003758330.tif 000003
【図３】
0003758330.tif 000004
【図４】
0003758330.tif 000005
【図５】
0003758330.tif 000006
【図６】
0003758330.tif 000007
【図７】
0003758330.tif 000008
【図８】
0003758330.tif 000009
【図９】
0003758330.tif 000010
【図１０】
0003758330.tif 000011
【図１１】
0003758330.tif 000012
【図１２】
0003758330.tif 000013